(57)【要約】【課題】既設のかご用ガイドレール及び既設のカウンタウェイト用ガイドレールを使用して、昇降路上部に機械室が設けられた上部機械室式のエレベータ装置を改修する場合に、機械室に設けられた既設の機械台に機械室レスエレベータ用の薄型巻上機を設置しても、１８０度のトラクション角度を有することができるエレベータ装置を得る。【解決手段】既設のかご用ガイドレールに沿って昇降路を昇降するかごに一端が懸吊され、既設のカウンタウェイト用ガイドレールに沿って昇降路を昇降するカウンタウェイトに他端が懸吊された巻上ロープと、昇降路上部の機械室に設けられた既設の機械台に所定の間隔を置いて設置され、巻上ロープが巻き掛けられた２つの薄型巻上機と、この２つの薄型巻上機にそれぞれ設けられ、両巻上機を同期連動させる回動伝達手段とを備える。【選択図】  図１
2005008378.tif 000002
【特許請求の範囲】
【請求項１】
既設のかご用ガイドレールに沿って昇降路を昇降するかごと、既設のカウンタウェイト用ガイドレールに沿って昇降路を昇降するカウンタウェイトと、前記昇降路上部の機械室に設けられた既設の機械台とを備えた上部機械室式のエレベータ装置において、前記かごに一端が懸吊され、前記カウンタウェイトに他端が懸吊された巻上ロープと、前記機械台に所定の間隔を置いて設置され、前記巻上ロープが巻き掛けられた２つの薄型巻上機と、この２つの薄型巻上機にそれぞれ設けられ、前記両巻上機を同期連動させる回動伝達手段とを備えたことを特徴とするエレベータ装置。
【請求項２】
既設のかご用ガイドレールに沿って昇降路を昇降するかごと、既設のカウンタウェイト用ガイドレールに沿って昇降路を昇降するカウンタウェイトと、前記昇降路上部の機械室に設けられた既設の機械台とを備えた上部機械室式のエレベータ装置において、前記かごに一端が懸吊され、前記カウンタウェイトに他端が懸吊された巻上ロープと、前記機械台に所定の間隔を置いて設置され、前記巻上ロープが巻き掛けられた２つの薄型巻上機と、この２つの薄型巻上機にそれぞれ設けられ、前記両巻上機を同期連動させる回動伝達手段と、前記機械台に設置され、前記回動伝達手段に連動した速度帰還装置とを備えたことを特徴とするエレベータ装置。
【請求項３】
前記回動伝達手段は、前記両巻上機に設けられたスプロケットと、この２つのスプロケットに巻き掛けられたチェーンであることを特徴とする請求項１又は請求項２の何れかに記載のエレベータ装置。
【発明の詳細な説明】
【０００１】
【発明の属する技術分野】
この発明は、上部機械室式のエレベータ装置に関するものである。
【０００２】
【従来の技術】
昇降路上部に駆動装置が設置された従来のエレベータ装置には、機械室のないトラクションシーブ式エレベータの駆動装置を、従来の機械室のあるエレベータと同等の昇降路寸法かつ、建物の屋上に突起部を設けることなく取付け、しかも駆動装置を堅固に支える取付け構造を有するために、両端に吊りロープ（巻上ロープ）と係合するトラクションシーブ（巻上機シーブ）を備えた駆動装置を有し、一対の乗りかご（かご）用ガイドレールと一対の釣合い重り（カウンタウェイト）用ガイドレール間をそれぞれ一体連結する支持梁に駆動装置を配置したものがある（例えば、特許文献１参照）。
【０００３】
【特許文献１】
特開平１１−１３９７３０号公報
【０００４】
【発明が解決しようとする課題】
特許文献１記載のエレベータ装置では、巻上機などの駆動装置を堅固に支える取付け構造を有するために、一対のかご用ガイドレールとカウンタウェイト用ガイドレール間をそれぞれ一体連結する支持梁に、駆動装置を配置する構造を有しているが、駆動装置がガイドレールに設置されているため、その荷重が４本のガイドレールに全て作用することになる。既設のガイドレールを使用してエレベータを改修する場合に、上述のように駆動装置をガイドレール上部に設置する方法では、巻上ロープに作用する荷重を既設のガイドレールで支持することができず、ガイドレールのサイズ変更が必要になることがあった。また、ガイドレールに作用する荷重を軽減するために、昇降路上部に設けられた機械室の既設の機械台に巻上機などの駆動装置を設置することによって、巻上ロープに作用する荷重を巻上機から機械台を介して建物に作用させるという改修方法も考えられる。しかし、このような方法では、かご及びカウンタウェイトの吊り位置の調整のために巻上機とそらせ車を使用することになるが、そらせ車を使用して吊り位置の調整を行う場合にはトラクション角度が１８０度より小さくなるため、トラクション角度を１８０度必要とする機械室レスエレベータ用の薄型巻上機を使用することができないという問題があった。
【０００５】
この発明は、上述のような課題を解決するためになされたもので、既設のかご用ガイドレール及び既設のカウンタウェイト用ガイドレールを使用して、昇降路上部に機械室が設けられた上部機械室式のエレベータ装置を改修する場合に、機械室に設けられた既設の機械台に機械室レスエレベータ用の薄型巻上機を設置しても、１８０度のトラクション角度を有することができるエレベータ装置を提供することである。
【０００６】
【課題を解決するための手段】
この発明に係るエレベータ装置は、既設のかご用ガイドレールに沿って昇降路を昇降するかごに一端が懸吊され、既設のカウンタウェイト用ガイドレールに沿って昇降路を昇降するカウンタウェイトに他端が懸吊された巻上ロープと、昇降路上部の機械室に設けられた既設の機械台に所定の間隔を置いて設置され、巻上ロープが巻き掛けられた２つの薄型巻上機と、この２つの薄型巻上機にそれぞれ設けられ、両巻上機を同期連動させる回動伝達手段とを備えたものである。
【０００７】
【発明の実施の形態】
実施の形態１．
図１はこの発明の実施の形態１におけるエレベータ装置の縦断面図、図２は機械室の平面図である。図において、既設のかご用ガイドレールと既設のカウンタウェイト用ガイドレールにそれぞれ案内されたかご１０とカウンタウェイト１１とが、後述する２つの巻上機シーブ１２ａ及び１２ｂを介して巻上ロープ８によって釣瓶式に懸吊され、昇降路９を昇降している。この昇降路９の上部には、改修前に上部機械室式エレベータの駆動装置などが設置されていた機械室１があり、この機械室１の下部に改修前の駆動装置が固定されていた機械台２が設置されている。この機械台２の上部には巻上機取付金７が固定され、この巻上機取付金７の上部に、巻上ロープ８とのトラクションによってかご１０とカウンタウェイト１１の巻き上げ及び巻き下げを行う巻上機シーブ１２ａ及び１２ｂがそれぞれ設けられた２台の機械室レスエレベータ用の薄型巻上機３ａ及び３ｂが設置されている。ここで、既設のガイドレールに案内されたかご１０とカウンタウェイト１１の吊り位置に合わせて２台の薄型巻上機３ａ及び３ｂの設置位置は調節され、この薄型巻上機３ａ及び３ｂに設けられた巻上機シーブ１２ａ及び１２ｂには、巻上ロープ８が巻き掛けられている。また、この薄型巻上機３ａ及び３ｂは、巻上機シーブ１２ａ及び１２ｂと同じ回動中心を有して連動する連動チェーンスプロケット５がそれぞれ設けられている。この連動チェーンスプロケット５には、薄型巻上機３ａ及び３ｂを同期させるための巻上機連動チェーン４が巻き掛けられ、この巻上機連動チェーン４と前述した連動チェーンスプロケット５とで回動伝達手段を構成している。さらに薄型巻上機３ａと３ｂとの間の巻上機取付金７上には、巻上機連動チェーン４と連動する速度帰還装置６が設置され、この巻上機連動チェーン４の破断と速度を検出し、薄型巻上機３ａ及び３ｂに帰還させる構造を有している。
【０００８】
この発明の実施の形態１によれば、比較的多量に生産されている機械室レスエレベータ用の薄型巻上機３ａ及び３ｂが、昇降路上部に設けられた機械室１内部に設置されている。従って、巻上ロープ８に掛かるかご１０やカウンタウェイト１１などの荷重を既設のガイドレールに作用させることなく、機械台２を介して建物に作用させることができる。同時に、２つの薄型巻上機３ａと３ｂの設置間隔を巻上機取付金７上で調整することにより、かご１０とカウンタウェイト１１の吊り位置を既設のガイドレールに合わせることができるため、これらのガイドレールの改修を必要とせず、既設のものを使用することが可能となる。また、巻上ロープ８は巻上機連動チェーン４で同期されている２台の薄型巻上機３ａ及び３ｂのそれぞれの巻上機シーブ１２ａ及び１２ｂに巻き掛けられているため、トラクション角度が２台分の１８０度を有することができ、トラクション角度を１８０度必要とする薄型巻上機を使用することが可能となる。さらに、チェーン同期する２台の薄型巻上機３ａ及び３ｂで駆動力と吊荷重を分散させることができるため、コンパクトで低出力の巻上機及び制御機器を使用することもできる。
【０００９】
また、上述したように２台の薄型巻上機３ａ及び３ｂの設置間隔を調整することで、かご１０とカウンタウェイト１１の吊り位置を調節することができるため、ガイドレールだけでなく、かご１０やカウンタウェイト１１なども既設のものを使用することが可能である。
【００１０】
実施の形態２．
薄型巻上機３ａ及び３ｂに巻上機シーブ１２ａ及び１２ｂと同じ回動中心を有して連動するプーリがそれぞれ設けられ、このプーリに薄型巻上機３ａ及び３ｂを同期させるためのベルトが巻き掛けられている。そして、このベルトと前述したプーリとで回動伝達手段を構成し、その他は実施の形態１と同様の構成としても、実施の形態１と同様の効果を得ることができる。
【００１１】
【発明の効果】
この発明は、以上説明したように、既設のかご用ガイドレールに沿って昇降路を昇降するかごに一端が懸吊され、既設のカウンタウェイト用ガイドレールに沿って昇降路を昇降するカウンタウェイトに他端が懸吊された巻上ロープと、昇降路上部の機械室に設けられた既設の機械台に所定の間隔を置いて設置され、巻上ロープが巻き掛けられた２つの薄型巻上機と、この２つの薄型巻上機にそれぞれ設けられ、両巻上機を同期連動させる回動伝達手段とを備える構成としたことで、既設のかご用ガイドレール及び既設のカウンタウェイト用ガイドレールを使用して、昇降路上部に機械室が設けられた上部機械室式のエレベータ装置を改修する場合に、機械室に設けられた既設の機械台に機械室レスエレベータ用の薄型巻上機を設置しても、１８０度のトラクション角度を有することができる。
【図面の簡単な説明】
【図１】この発明の実施の形態１におけるエレベータ装置の縦断面図である。
【図２】この発明の実施の形態１におけるエレベータ装置の機械室の平面図である。
【符号の説明】
１  機械室
２  機械台
３ａ、３ｂ  薄型巻上機
４  巻上機連動チェーン
５  連動チェーンスプロケット
６  速度帰還装置
７  巻上機取付金
８  巻上ロープ
９  昇降路部
１０  かご
１１  カウンタウェイト
１２ａ、１２ｂ  巻上機シーブ
【図１】
2005008378.tif 000003
【図２】
2005008378.tif 000004